【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
アイ・トラッキング機器からデータを収集するための方法であって、
第１の視覚像の表示を生じさせる工程と、
前記第１の視覚像が表示された後、前記第１の視覚像の代わりに固視ターゲットの表示を生じさせる工程と、
表示された前記固視ターゲットに関する被験者の眼球運動を示すデータを前記アイ・トラッキング機器から受信する工程と、
前記被験者の眼球運動を示す前記データを受信することに応じて、前記固視ターゲットの代わりに第２の視覚像の表示を生じさせる工程と、
を備える方法。
【請求項２】
前記固視ターゲットは前記被験者の反射性眼球運動のトリガとなり、好ましくは、前記被験者の前記眼球運動は言語指示なしに誘導される、請求項１に記載の方法。
【請求項３】
前記被験者の眼球運動を示す前記データから固視を識別する工程と、
前記固視に関する固視場所座標を計算する工程と、
前記固視場所座標が、表示された前記固視ターゲットに関する既知のターゲット場所座標の近接度閾値内にあるか否かを判定する工程と、
をさらに備え、好ましくは、前記固視場所座標が前記近接度閾値内にない場合には、前記被験者の眼球運動を示す前記データはキャリブレーション目的について拒絶される、請求項１または２に記載の方法。
【請求項４】
オペレータによる観察される固視から前記固視を識別する手動インジケーションを前記オペレータから受信する工程、または
識別された前記固視をオペレータによる観察される固視によって裏付ける手動インジケーションを、前記オペレータから受信する工程、をさらに備える、請求項３に記載の方法。
【請求項５】
受信された前記データが、表示される前記固視ターゲットに関する前記被験者の前記眼球運動中のまばたき、衝動性眼球運動、および滑動性眼球運動のいずれかを示すか否かを
判定する工程をさらに備え、好ましくは、少なくとも部分的には、受信された前記データが、表示される前記固視ターゲットに関する前記被験者の前記眼球運動中のまばたき、衝動性眼球運動、および滑動性眼球運動のいずれかを示す場合、前記被験者の眼球運動を示す前記データはキャリブレーション目的について拒絶される、請求項１〜４のいずれか一項に記載の方法。
【請求項６】
前記被験者の眼球運動を示す前記データは、該データが固視を含まない場合、キャリブレーション目的について拒絶される、請求項１または２に記載の方法。
【請求項７】
前記第１の視覚像は前記第２の視覚像とは異なる、または、前記第１の視覚像は前記第２の視覚像と同じである、請求項１〜６のいずれか一項に記載の方法。
【請求項８】
前記第２の視覚像の代わりに１つまたは複数の後続の固視ターゲットの表示を生じさせる工程をさらに備え、好ましくは、それぞれの視覚像は、各それぞれの後続の固視ターゲットが表示された後、表示され、
各それぞれの視覚像は前記第１の視覚像および前記第２の視覚像とは異なるか、または各それぞれの視覚像は前記第１の視覚像および前記第２の視覚像と同じであり、
好ましくは、各それぞれの後続の固視ターゲットは、それぞれのターゲット場所座標を有する、、請求項１〜７のいずれか一項に記載の方法。
【請求項９】
前記固視ターゲットは、前記被験者を観察するオペレータからの手動インジケーションに応じて表示される、請求項１〜８のいずれか一項に記載の方法。
【請求項１０】
前記視覚像は、前記被験者の属性に基づいて選択され、好ましくは、前記属性は前記被験者の年齢である、請求項１〜９のいずれか一項に記載の方法。
【請求項１１】
前記第１の視覚像および前記第２の視覚像は動的な視覚像である、請求項１〜１０のいずれか一項に記載の方法。
【請求項１２】
アイ・トラッキング・データにおける空間的な不正確さを訂正するための方法であって、
被験者への刺激の表示中に記録されるアイ・トラッキング・データを受信する工程であって、前記刺激は、前記被験者による固視を誘導する固視ターゲットを含む、工程と、
受信された前記アイ・トラッキング・データにおける前記固視を識別する工程と、
前記固視ターゲットに関連付けられているターゲット場所座標と、前記固視に関連付けられている固視場所座標との間の差を計算する工程と、
前記ターゲット場所座標と前記固視場所座標との間の計算された前記差をベクトル・データとして記憶する工程と、
前記固視場所座標が前記ターゲット場所座標に整合するように、前記ベクトル・データを変換する工程と、
を備える方法。
【請求項１３】
前記変換する工程は、トリリニア補間と、重心座標の線形補間と、アフィン変換と、区分多項式変換とからなる群から選択される数学演算を行う工程を含み、前記方法は、前記被験者の発達状況または認知状況の評価、スクリーニング、モニタリング、または診断のために使用される、請求項１２に記載の方法。
【請求項１４】
システムであって、
刺激を被験者に表示するための手段と、
前記表示するための手段によって表示される刺激に応答する前記被験者の眼球運動を検
出するための手段と、
前記被験者を支持するための手段であって、前記表示するための手段および前記検出するための手段に関して眼球運動データの収集を可能とする配向に前記被験者の位置を決定するように調節可能であり、位置が決定されると、前記配向に前記被験者を拘束する、前記支持するための手段と、
刺激を被験者に表示するための前記手段と、前記被験者の眼球運動を検出するための前記手段と、前記被験者を支持するための前記手段とを支持するためのフレームと、を備えるシステム。
【請求項１５】
前記フレームは前記システムを移動させるための手段を備え、好ましくは、前記フレームは前記移動させるための手段に連結されている、移動を妨げるための手段をさらに備える、請求項１４に記載のシステム。
【請求項１６】
前記支持するための手段は、前記被験者の視野における視覚的な気逸らしを最小化するための手段を備える、請求項１４または１５に記載のシステム。
【請求項１７】
前記支持するための手段は、リクライニングするように構成されており、好ましくは、前記支持するための手段は、調節可能なヘッド・レストを備え、前記ヘッド・レストは、前記被験者の頭部の運動の範囲を制限する、請求項１４〜１６のいずれか一項に記載のシステム。
【請求項１８】
前記支持するための手段は、１つの軸の周りに旋回するように構成されている、請求項１４〜１７のいずれか一項に記載のシステム。
【請求項１９】
前記表示するための手段は、前記被験者に関して複数の位置に調節可能であり、前記検出するための手段は、前記被験者に関して複数の位置に調節可能である、請求項１４〜１８のいずれか一項に記載のシステム。
【請求項２０】
前記被験者の像をオペレータに表示するための手段をさらに備ええ、随意では、検出された前記被験者の眼球運動をネットワークに伝えるための手段をさらに備える、請求項１４〜１９のいずれか一項に記載のシステム。
【請求項２１】
請求項１〜１３のいずれか一項に記載の方法を行うように構成されている、請求項１４に記載のシステム。
【請求項２２】
前記被験者の発達状況または認知状況の評価、スクリーニング、モニタリング、または診断のために使用される、請求項１〜１３のいずれか一項に記載のシステムまたは請求項１４〜２１のいずれか一項に記載のシステム。
【手続補正２】
【補正対象書類名】明細書
【補正対象項目名】００８１
【補正方法】変更
【補正の内容】
【００８１】
変形、置換、および代替の例は、当業者によって解明可能であり、本明細書で開示されている情報の範囲から逸脱することなく作製されることが可能である。本明細書で引用されているすべての参照文献は、その全体が参照により援用されており、本出願の一部をなす。
［項目１］
フレームを備えるシステムであって、前記フレームは、
ディスプレイ・デバイスと、
前記ディスプレイ・デバイスによって表示される刺激に応答する被験者の眼球運動を検出するためのセンサと、
前記被験者を着席させるためのサポート・デバイスであって、前記ディスプレイ・デバイスおよび前記センサに関して眼球運動データの収集を可能とする配向に前記被験者の位置を決定するように調節可能であり、位置が決定されると、前記配向に前記被験者を拘束する、サポート・デバイスと、
を支持する、システム。
［項目２］
前記フレームは車輪を備える、項目１に記載のシステム。
［項目３］
前記フレームは前記車輪に連結されているブレーキをさらに備える、項目２に記載のシステム。
［項目４］
前記サポート・デバイスは、前記被験者の視野における視覚的な気逸らしを最小化するためのパーティションを備える、項目１〜３のいずれか一項に記載のシステム。
［項目５］
前記サポート・デバイスは、リクライニングするように構成されている、項目１〜４のいずれか一項に記載のシステム。
［項目６］
前記サポート・デバイスは、調節可能なヘッド・レストを備える、項目１〜５のいずれか一項に記載のシステム。
［項目７］
前記ヘッド・レストは、前記被験者の頭部の運動の範囲を制限する、項目６に記載のシステム。
［項目８］
前記サポート・デバイスは、１つの軸の周りに旋回するように構成されている、項目１〜７のいずれか一項に記載のシステム。
［項目９］
前記ディスプレイ・デバイスは、前記被験者に関して複数の位置に調節可能である、項目１〜８のいずれか一項に記載のシステム。
［項目１０］
前記センサは、前記被験者に関して複数の位置に調節可能である、項目１〜９のいずれか一項に記載のシステム。
［項目１１］
前記被験者の像をオペレータに表示するように構成されている第２のディスプレイ・デバイスをさらに備える、項目１〜１０のいずれか一項に記載のシステム。
［項目１２］
検出された前記被験者の眼球運動をネットワークに伝えるためのネットワーク・インターフェースをさらに備える、項目１〜１１のいずれか一項に記載のシステム。
［項目１３］
前記被験者の発達状況または認知状況の評価、スクリーニング、モニタリング、または診断のために使用される、項目１〜１２のいずれか一項に記載のシステム。
［項目１４］
項目１５〜３９のいずれか一項に記載の方法を行うように構成されている、項目１に記載のシステム。
［項目１５］
アイ・トラッキング機器からデータを収集するための方法であって、
第１の視覚像の表示を生じさせる工程と、
前記第１の視覚像が表示された後、前記第１の視覚像の代わりに固視ターゲットの表示を生じさせる工程と、
表示された前記固視ターゲットに関する被験者の眼球運動を示すデータを前記アイ・トラッキング機器から受信する工程と、
前記被験者の眼球運動を示す前記データを受信することに応じて、前記固視ターゲットの代わりに第２の視覚像の表示を生じさせる工程と、
を備える方法。
［項目１６］
前記固視ターゲットは前記被験者の反射性眼球運動のトリガとなる、項目１５に記載の方法。
［項目１７］
前記被験者の前記眼球運動は言語指示なしに誘導される、項目１５または１６に記載の方法。
［項目１８］
前記被験者の眼球運動を示す前記データから固視を識別する工程と、
前記固視に関する固視場所座標を計算する工程と、
前記固視場所座標が、表示された前記固視ターゲットに関する既知のターゲット場所座標の近接度閾値内にあるか否かを判定する工程と、
をさらに備える項目１５〜１７のいずれか一項に記載の方法。
［項目１９］
前記固視場所座標が前記近接度閾値内にない場合には、前記被験者の眼球運動を示す前記データはキャリブレーション目的について拒絶される、項目１８に記載の方法。
［項目２０］
オペレータによる観察される固視から前記固視を識別する手動インジケーションを前記オペレータから受信する工程をさらに備える、項目１８または１９に記載の方法。
［項目２１］
識別された前記固視をオペレータによる観察される固視によって裏付ける手動インジケーションを、前記オペレータから受信する工程をさらに備える、項目１８または１９に記載の方法。
［項目２２］
受信された前記データが、表示される前記固視ターゲットに関する前記被験者の前記眼球運動中のまばたき、衝動性眼球運動、および滑動性眼球運動のいずれかを示すか否かを判定する工程をさらに備える、項目１５〜２１のいずれか一項に記載の方法。
［項目２３］
少なくとも部分的には、受信された前記データが、表示される前記固視ターゲットに関する前記被験者の前記眼球運動中のまばたき、衝動性眼球運動、および滑動性眼球運動のいずれかを示す場合、前記被験者の眼球運動を示す前記データはキャリブレーション目的について拒絶される、項目２２に記載の方法。
［項目２４］
前記被験者の眼球運動を示す前記データは、該データが固視を含まない場合、キャリブレーション目的について拒絶される、項目１５〜１７のいずれか一項に記載の方法。
［項目２５］
前記第１の視覚像は前記第２の視覚像とは異なる、項目１５〜２４のいずれか一項に記載の方法。
［項目２６］
前記第１の視覚像は前記第２の視覚像と同じである、項目１５〜２４のいずれか一項に記載の方法。
［項目２７］
前記第２の視覚像の代わりに１つまたは複数の後続の固視ターゲットの表示を生じさせる工程をさらに備える、項目１５〜２６のいずれか一項に記載の方法。
［項目２８］
それぞれの視覚像は、各それぞれの後続の固視ターゲットが表示された後、表示される、項目２７に記載の方法。
［項目２９］
各それぞれの視覚像は前記第１の視覚像および前記第２の視覚像とは異なる、項目２８に記載の方法。
［項目３０］
各それぞれの視覚像は前記第１の視覚像および前記第２の視覚像と同じである、項目２８に記載の方法。
［項目３１］
各それぞれの後続の固視ターゲットは、それぞれのターゲット場所座標を有する、項目２７〜３０のいずれか一項に記載の方法。
［項目３２］
前記固視ターゲットは、前記被験者を観察するオペレータからの手動インジケーションに応じて表示される、項目１５〜３１のいずれか一項に記載の方法。
［項目３３］
前記視覚像は、前記被験者の属性に基づいて選択される、項目１５〜３２のいずれか一項に記載の方法。
［項目３４］
前記属性は前記被験者の年齢である、項目３３に記載の方法。
［項目３５］
前記第１の視覚像および前記第２の視覚像は動的な視覚像である、項目１５〜３４のいずれか一項に記載の方法。
［項目３６］
前記被験者の発達状況または認知状況の評価、スクリーニング、モニタリング、または診断のために使用される、項目１５〜３５のいずれか一項に記載の方法。
［項目３７］
アイ・トラッキング・データにおける空間的な不正確さを訂正するための方法であって、
被験者への刺激の表示中に記録されるアイ・トラッキング・データを受信する工程であって、前記刺激は、前記被験者による固視を誘導する固視ターゲットを含む、工程と、
受信された前記アイ・トラッキング・データにおける前記固視を識別する工程と、
前記固視ターゲットに関連付けられているターゲット場所座標と、前記固視に関連付けられている固視場所座標との間の差を計算する工程と、
前記ターゲット場所座標と前記固視場所座標との間の計算された前記差をベクトル・データとして記憶する工程と、
前記固視場所座標が前記ターゲット場所座標に整合するように、前記ベクトル・データを変換する工程と、
を備える方法。
［項目３８］
前記変換する工程は、トリリニア補間と、重心座標の線形補間と、アフィン変換と、区分多項式変換とからなる群から選択される数学演算を行う工程を含む、項目３７に記載の方法。
［項目３９］
前記被験者の発達状況または認知状況の評価、スクリーニング、モニタリング、または診断のために使用される、項目３７または３８に記載の方法。
［項目４０］
フレームを備えるシステムであって、前記フレームは、
刺激を被験者に表示するための手段と、
前記表示するための手段によって表示される刺激に応答する前記被験者の眼球運動を検
出するための手段と、
前記被験者を支持するための手段であって、前記表示するための手段および前記検出するための手段に関して眼球運動データの収集を可能とする配向に前記被験者の位置を決定するように調節可能であり、位置が決定されると、前記配向に前記被験者を拘束する、前記支持するための手段と
を支持する、システム。
［項目４１］
前記フレームは前記システムを移動させるための手段を備える、項目４０に記載のシステム。
［項目４２］
前記フレームは前記移動させるための手段に連結されている、移動を妨げるための手段をさらに備える、項目４１に記載のシステム。
［項目４３］
前記支持するための手段は、前記被験者の視野における視覚的な気逸らしを最小化するための手段を備える、項目４０〜４２のいずれか一項に記載のシステム。
［項目４４］
前記支持するための手段は、リクライニングするように構成されている、項目４０〜４３のいずれか一項に記載のシステム。
［項目４５］
前記支持するための手段は、調節可能なヘッド・レストを備える、項目４０〜４４のいずれか一項に記載のシステム。
［項目４６］
前記ヘッド・レストは、前記被験者の頭部の運動の範囲を制限する、項目４５に記載のシステム。
［項目４７］
前記支持するための手段は、１つの軸の周りに旋回するように構成されている、項目４０〜４６のいずれか一項に記載のシステム。
［項目４８］
前記表示するための手段は、前記被験者に関して複数の位置に調節可能である、項目４０〜４７のいずれか一項に記載のシステム。
［項目４９］
前記検出するための手段は、前記被験者に関して複数の位置に調節可能である、項目４０〜４８のいずれか一項に記載のシステム。
［項目５０］
前記被験者の像をオペレータに表示するための手段をさらに備える、項目４０〜４９のいずれか一項に記載のシステム。
［項目５１］
検出された前記被験者の眼球運動をネットワークに伝えるための手段をさらに備える、項目４０〜５０のいずれか一項に記載のシステム。
［項目５２］
前記被験者の発達状況または認知状況の評価、スクリーニング、モニタリング、または診断のために使用される、項目４０〜５１のいずれか一項に記載のシステム。
［項目５３］
項目１〜２２および３７〜３９のいずれか一項に記載の方法を行うように構成されている、項目４０に記載のシステム。